(57)【特許請求の範囲】
【請求項１】
複数の容器を保持するパッケージであって、
該パッケージの内部の周りに少なくとも部分的に延在するパネルであって、該パネルは、トップパネルと、該トップパネルに折り曲げ可能に接続されている少なくとも１つのサイドパネルと、該少なくとも１つのサイドパネルに折り曲げ可能に接続されている少なくとも１つの端部パネルとを含む、パネルと、
該複数の容器のうちの少なくとも１つの容器のトップ部分を受け入れて保持する、該トップパネルの少なくとも１つの機能部であって、該少なくとも１つの機能部は、該トップパネルの開口部と、該複数の容器のうちの少なくとも１つの容器と係合して該少なくとも１つの容器を該パッケージに少なくとも部分的に取り付けるように該開口部に隣接している保持機能部とを含む、少なくとも１つの機能部と、
を備え、
該少なくとも１つの端部パネルは、該パッケージを把持して運搬するためのハンドルを含み、
該端部パネルは、該端部パネルを横切って延在する複数の曲線状の折り線を含み、該端部パネルは、該複数の容器のうちの少なくとも１つの容器に適合する形状であり、該端部パネルは２つの凸状の端部を含み、それぞれの凸状の端部は、該複数の容器のうちのそれぞれの容器に適合する形状であり、該端部パネルは、該２つの凸状の端部間に位置決めされる凹状の中間端部を含み、該凹状の中間端部は、該パッケージの端において該それぞれの容器間に位置決めされ、該パッケージの端において該それぞれの容器に適合する形状である、パッケージ。
【請求項２】
該少なくとも１つのサイドパネルと該少なくとも１つの端部パネルとを折り曲げ可能に接続する少なくとも１つのガセットを更に含む、請求項１に記載のパッケージ。
【請求項３】
該少なくとも１つのガセットは少なくとも２つのガセットパネルを含み、該少なくとも２つのガセットパネルは少なくとも部分的に対面接触している、請求項２に記載のパッケージ。
【請求項４】
それぞれの凸状の端部は、該トップパネルにそれぞれ折り曲げ可能に接続されている、請求項１に記載のパッケージ。
【請求項５】
該凹状の端部は、該少なくとも１つの端部パネルの開口部によって該トップパネルから分離している、請求項４に記載のパッケージ。
【請求項６】
該少なくとも１つの端部パネルは、該トップパネルから離間して、該トップパネルと折り曲げ可能に接続されていない、請求項１に記載のパッケージ。
【請求項７】
該保持機能部は該開口部に隣接している該トップパネルの一部を含み、該トップパネルの該一部は該少なくとも１つの容器のフランジの下面と接触している、請求項１に記載のパッケージ。
【請求項８】
該保持機能部は該トップパネルに折り曲げ可能に接続されている保持パネルを含み、該保持パネルは該少なくとも１つの容器のトップと接触し、該開口部から離間している、請求項７に記載のパッケージ。
【請求項９】
複数の容器を保持するパッケージを形成するブランクであって、
トップパネルと、該トップパネルに折り曲げ可能に接続されている少なくとも１つのサイドパネルと、該少なくとも１つのサイドパネルに折り曲げ可能に接続されている少なくとも１つの端部パネルとを含むパネルであって、該パネルは、該ブランクから形成される該パッケージの内部を形成するためのものである、パネルと、
該複数の容器のうちの少なくとも１つの容器のトップ部分を該ブランクから形成される該パッケージに受け入れて保持するためのものである、該トップパネルの少なくとも１つの機能部であって、該少なくとも１つの機能部は、該トップパネルの開口部と、該複数の容器のうちの該少なくとも１つの容器と係合して該少なくとも１つの容器を該パッケージに少なくとも部分的に取り付けるように該開口部に隣接している保持機能部とを含む、少なくとも１つの機能部と、
を備え、
該少なくとも１つの端部パネルは、該ブランクから形成される該パッケージを把持して運搬するためのハンドルを形成するハンドル機能部を含み、該端部パネルは、該端部パネルを横切って延在する複数の曲線状の折り線を含み、該端部パネルは、該複数の容器のうちの少なくとも１つの容器に適合する形状とされ、２つの凸状の端部を形成し、それぞれの凸状の端部は、該複数の容器のうちのそれぞれの容器に適合する形状とされ、該端部パネルは、該２つの凸状の端部間に位置決めされた凹状の端部を形成する中間部分とを含み、該凹状の端部は、該パッケージの端において該それぞれの容器間に位置決めされ、該パッケージの端において該それぞれの容器に適合するための形状とされている、ブランク。
【請求項１０】
該少なくとも１つのサイドパネルと該少なくとも１つの端部パネルとを折り曲げ可能に接続する少なくとも１つのガセットを更に含む、請求項９に記載のブランク。
【請求項１１】
該少なくとも１つのガセットは少なくとも２つのガセットパネルを含み、該少なくとも２つのガセットパネルは少なくとも部分的に対面接触している、請求項１０に記載のブランク。
【請求項１２】
それぞれの該２つの凸状の端部は、該トップパネルにそれぞれ折り曲げ可能に接続されている、請求項１１に記載のブランク。
【請求項１３】
該中間部分は、該少なくとも１つの端部パネルの開口部によって該トップパネルから分離している、請求項１２に記載のブランク。
【請求項１４】
該少なくとも１つの端部パネルは、切れ目線によって該トップパネルから分離しており、該トップパネルと折り曲げ可能に接続されていない、請求項９に記載のブランク。
【請求項１５】
該保持機能部は該開口部に隣接している該トップパネルの一部を含み、該トップパネルの該一部は該少なくとも１つの容器のフランジの下面と接触している、請求項９に記載のブランク。
【請求項１６】
該保持機能部は該トップパネルに折り曲げ可能に接続されている保持パネルを含み、該保持パネルは、該ブランクから形成される該パッケージにおいて該少なくとも１つの容器のトップと接触し、該開口部から離間している、請求項１５に記載のブランク。
【請求項１７】
複数の容器を収容するパッケージを形成する方法であって、
トップパネルと、該トップパネルに折り曲げ可能に接続されている少なくとも１つのサイドパネルと、該少なくとも１つのサイドパネルに折り曲げ可能に接続されている少なくとも１つの端部パネルと、該トップパネルの開口部を含み該トップパネルの少なくとも１つの機能部と、前記開口部に隣接している保持機能部とを有するブランクを得ることであって、該少なくとも１つの端部パネルは、ハンドル機能部と、該端部パネルを横切って延在する複数の曲線状の折り線とを含み、該端部パネルは中間部を含む、ブランクを得ることと、
該容器を該パッケージに少なくとも部分的に取り付けるために、容器の少なくともトップ部分を該開口部に挿入して該容器の該トップ部分を該保持機能部と係合させることと、
該ハンドル機能部からハンドルを形成することと、
該複数の容器のうちのそれぞれの容器に適合し、該中間部から凹状の端部を形成する形状である２つの凸状の端部を有するように該端部パネルを位置付けることであって、該凹状の端部は該２つの凸状の端部間に位置決めされ、該凹状の端部は該パッケージの端において該それぞれの容器間に位置決めされ、該パッケージの端においてそれぞれの容器に適合する形状とされる、該端部パネルを位置付けることと、
を含む、方法。
【請求項１８】
該ブランクは、該少なくとも１つのサイドパネルと該少なくとも１つの端部パネルとに折り曲げ可能に接続する少なくとも１つのガセットを更に含み、該方法は、該少なくとも１つのサイドパネルと該端部パネルを該トップパネルに対して下方へ折り曲げることと、該少なくとも１つのサイドパネルを該端部パネルに隣接して位置決めするように該少なくとも１つのガセットを機能させることとを更に含む、請求項１７に記載の方法。
【請求項１９】
該少なくとも１つのガセットは少なくとも２つのガセットパネルを含み、該少なくとも１つのガセットを機能させることは、該少なくとも２つのガセットパネルを少なくとも部分的に対面接触させて位置決めすることを含む、請求項１８に記載の方法。
【請求項２０】
該端部パネルを位置決めすることは、それぞれの該凸状の端部を該複数の容器のうちのそれぞれの容器に隣接して位置決めすることを含む、請求項１７に記載の方法。
【請求項２１】
該保持機能部は該開口部に隣接している該トップパネルの一部を含み、該容器の少なくとも一部を挿入することは、該トップパネルの該一部を該容器のフランジの下面と接触させて配置することを含む、請求項１７に記載の方法。
【請求項２２】
該保持機能部は該トップパネルに折り曲げ可能に接続されている保持パネルを含み、該容器の少なくともトップ部分を挿入することは、該容器の該トップを、該開口部から離間している該保持パネルと接触させて配置することを含む、請求項２１に記載の方法。
【請求項２３】
該開口部は第１の開口部であり、該少なくとも１つの保持機能部は第１の保持機能部であり、該容器は第１の容器であり、該ブランクは、第２の開口部と、該第２の開口部に隣接している第２の保持機能部とを含み、該方法は、第２の容器の少なくとも一部を該第２の開口部に挿入して該第２の容器のトップ部分を該第２の保持機能部と係合させることであって、該第２の容器を該パッケージに少なくとも部分的に取り付ける、挿入して係合させることを更に含む、請求項２１に記載の方法。
【発明の詳細な説明】
【技術分野】
【０００１】
本開示は、概して、容器を保持して運搬するためのパッケージ又はカートンに関する。
【背景技術】
【０００２】
［関連出願の相互参照］
本願は、２００９年７月１０日付けで出願された米国仮特許出願第６１／２２４，７６０号に対し優先権を主張する。本願は、２０１０年２月２４日付けで出願された米国特許出願第１２／７１１，５５５号の一部継続出願であり、２００９年２月２４日付けで出願された米国仮特許出願第６１／２０８，４６２号に対し優先権を主張する。
【０００３】
［参照による援用］
２００９年７月１０日付けで出願された米国仮特許出願第６１／２２４，７６０号、２０１０年２月２４日付けで出願された米国特許出願第１２／７１１，５５５号、及び２００９年２月２４日付けで出願された米国仮特許出願第６１／２０８，４６２号の全ての内容は、あらゆる目的でここに参照されることにより援用される。
【発明の概要】
【０００４】
本開示の一態様では、例えば飲料缶等の複数の容器を保持するパッケージが開示される。パッケージはトップパネルと、端部パネルと、サイドパネルとを有する。パッケージは、容器を保持する保持機能部と、パッケージを把持して運搬するためのハンドル機能部とを有する。
【０００５】
別の態様では、本開示は、複数の容器を保持するパッケージであって、当該パッケージの内部の周りに少なくとも部分的に延在するパネルを含む、パッケージに関する。パネルは、トップパネルと、当該トップパネルに折り曲げ可能に接続されている少なくとも１つのサイドパネルと、当該少なくとも１つのサイドパネルに折り曲げ可能に接続されている少なくとも１つの端部パネルとを含む。複数の容器のうちの少なくとも１つの容器のトップ部分を受け入れて保持する少なくとも１つの機能部は、トップパネルにある。少なくとも１つの機能部は、トップパネルの開口部と、複数の容器のうちの少なくとも１つの容器と係合して当該少なくとも１つの容器をパッケージに少なくとも部分的に取り付けるように開口部に隣接している保持機能部とを含む。少なくとも１つの端部パネルは、パッケージを把持して運搬するためのハンドルを含む。
【０００６】
別の態様では、本開示は、複数の容器を保持するパッケージを形成するブランクに関する。ブランクは、トップパネルと、当該トップパネルに折り曲げ可能に接続されている少なくとも１つのサイドパネルと、当該少なくとも１つのサイドパネルに折り曲げ可能に接続されている少なくとも１つの端部パネルとを含むパネルを含む。パネルは、ブランクから形成されるパッケージの内部を形成するためのものである。ブランクから形成されるパッケージに複数の容器のうちの少なくとも１つの容器のトップ部分を受け入れて保持するためのものである少なくとも１つの機能部は、トップパネルにある。少なくとも１つの機能部は、トップパネルの開口部と、複数の容器のうちの少なくとも１つの容器と係合して当該少なくとも１つの容器をパッケージに少なくとも部分的に取り付けるように開口部に隣接している保持機能部とを含む。少なくとも１つの端部パネルは、ブランクから形成されるパッケージを把持して運搬するためのハンドルを形成するハンドル機能部を含む。
【０００７】
別の態様では、本開示は、複数の容器を収容するパッケージを形成する方法に関する。方法は、トップパネルと、当該トップパネルに折り曲げ可能に接続されている少なくとも１つのサイドパネルと、当該少なくとも１つのサイドパネルに折り曲げ可能に接続されている少なくとも１つの端部パネルと、トップパネルの開口部を含みトップパネルにある少なくとも１つの機能部と、開口部に隣接している保持機能部とを有するブランクを得ることを含む。少なくとも１つの端部パネルはハンドル機能部を含む。方法は、容器の少なくともトップ部分を開口部に挿入して容器のトップ部分を保持機能部と係合させることであって、容器をパッケージに少なくとも部分的に取り付ける、挿入して係合させることと、ハンドル機能部からハンドルを形成することとを含む。
【０００８】
当業者は、添付図面を参照して実施形態の以下の詳細な説明を読めば、上述の態様及び他の利点、並びに多様な追加の実施形態の利益をよりよく理解するであろう。
【０００９】
一般的慣行に従い、以下で説明する図面の多様な特徴は、必ずしも一定の縮尺で描かれていない。図面における多様な特徴及び要素の寸法は、本開示の実施形態をより明確に示すために拡大又は縮小されている場合がある。したがって、本発明の限定を図面の寸法によるものとすることはできない。
【図面の簡単な説明】
【００１０】
【図１】本開示の第１の実施形態のブランクを示す図である。
【図２】本開示の第１の実施形態のパッケージ及び容器を示す図である。
【図３】本開示の第１の実施形態のパッケージ及び容器を示す図である。
【図４】本開示の第１の実施形態の容器を示す図である。
【図５】本開示の第２の実施形態の複数の容器を保持するブランク及び／又はパッケージを示す図である。
【図６】本開示の第２の実施形態の複数の容器を保持するブランク及び／又はパッケージを示す図である。
【図７】本開示の第２の実施形態の複数の容器を保持するブランク及び／又はパッケージを示す図である。
【図８】本開示の第３の実施形態の複数の容器を保持するブランク及び／又はパッケージを示す図である。
【図９】本開示の第３の実施形態の複数の容器を保持するブランク及び／又はパッケージを示す図である。
【図１０】本開示の第３の実施形態の複数の容器を保持するブランク及び／又はパッケージを示す図である。
【図１１】本開示の第４の実施形態の複数の容器を保持するブランク及び／又はパッケージを示す図である。
【図１２】本開示の第４の実施形態の複数の容器を保持するブランク及び／又はパッケージを示す図である。
【図１３】本開示の第４の実施形態の複数の容器を保持するブランク及び／又はパッケージを示す図である。
【図１４】本開示の第５の実施形態の複数の容器を保持するブランク及び／又はパッケージを示す図である。
【図１５】本開示の第５の実施形態の複数の容器を保持するブランク及び／又はパッケージを示す図である。
【図１６】本開示の第５の実施形態の複数の容器を保持するブランク及び／又はパッケージを示す図である。
【図１７】本開示の第６の実施形態の複数の容器を保持するブランク及び／又はパッケージを示す図である。
【図１８】本開示の第６の実施形態の複数の容器を保持するブランク及び／又はパッケージを示す図である。
【図１９】本開示の第６の実施形態の複数の容器を保持するブランク及び／又はパッケージを示す図である。
【図２０】本開示の第７の実施形態の複数の容器を保持するブランク及び／又はパッケージを示す図である。
【図２１】本開示の第７の実施形態の複数の容器を保持するブランク及び／又はパッケージを示す図である。
【図２２】本開示の第７の実施形態の複数の容器を保持するブランク及び／又はパッケージを示す図である。
【図２３】本開示の第８の実施形態の複数の容器を保持するブランク及び／又はパッケージを示す図である。
【図２４】本開示の第８の実施形態の複数の容器を保持するブランク及び／又はパッケージを示す図である。
【図２５】本開示の第８の実施形態の複数の容器を保持するブランク及び／又はパッケージを示す図である。
【図２６】本開示の第８の実施形態の複数の容器を保持するブランク及び／又はパッケージを示す図である。
【発明を実施するための形態】
【００１１】
対応する部分は、図面を通して対応する参照符号によって示されている。
【００１２】
本開示は、概して、ジャー、ボトル、缶等のような容器を保持及び陳列するための構造物、スリーブ、カートン等、及びパッケージに関する。容器は、例えば、食品及び飲料製品を包装するために用いることができる。容器は、特定の食料品又は飲料品を包装するのに適した組成の材料から作ることができ、当該材料として、アルミニウム及び／又は他の金属、ＰＥＴ、ＬＤＰＥ、ＬＬＤＰＥ、ＨＤＰＥ、ＰＰ、ＰＳ、ＰＶＣ、ＥＶＯＨ、及びナイロン等のようなプラスチック、ガラス、又はそれらの任意の組み合わせを含むが、これらに限定されない。
【００１３】
本開示によるパッケージは、多数の異なる形状の容器を収納することができる。本開示の範囲を限定することを目的とせず、説明することを目的として、以下の詳細な説明では、パッケージの実施形態内に少なくとも部分的に配置される飲料容器（例えば、アルミニウム缶のような概ね円筒形の容器）について記載する。本明細書において、「下側」、「ボトム」、「上側」、及び「トップ」という用語は、完全に組み立てられたパッケージに関して定められる向きを示す。
【００１４】
本実施形態は、容器に取り付けて容器を収納するためのカートン又はパッケージに関するものである。第１の実施形態のパッケージ又はキャリア５が、図３に組み立てられた状態で示されており、図中では３つの容器を２列で配置した容器Ｃに取り付けられている。図４に示されるように、容器Ｃは、下側ベース部分Ｂと、下側ベース部分から内方へテーパー状になっているネックＮを概して有するトップ部分Ｔと、ネック部分のトップにあってネック部分から半径方向外方へ延在するフランジ部分Ｆと、フランジ部分より下であってプルタブＰを含む上面ＴＳとを有する飲料容器として示されている。本開示から逸脱することなく、他のサイズ、形状及び構成の容器をパッケージ５内に保持することができる。容器ＣのネックＮ及びフランジＦは、パッケージ５のそれぞれの開口部７に受け入れられ、本明細書でさらに説明する保持機能部によってパッケージ内で保持される。容器Ｃは、本開示から逸脱することなく、２×３配置以外（例えば、２×４、２×６、１×３、１×４等）で配置することもでき、パッケージ５は６本よりも多いか又は少ない容器を含むことができる。
【００１５】
図１は、パッケージ又はキャリア５を形成するのに用いられるブランク１３の外部１１の平面図である。ブランク１３は長手方向軸Ｌ１及び横方向軸Ｌ２を有する。ブランク１３は、第１の横方向引き裂き線２１で第１の端部パネル１９に折り曲げ可能に接続されているトップパネル１７を含む。トップパネル１７は、第２の横方向引き裂き線２５で第２の端部パネル２３に折り曲げ可能に接続されている。第１のサイドパネル２７が、第１の長手方向折り線２９でトップパネル１７に折り曲げ可能に接続されている。第２のサイドパネル３１が、第２の長手方向折り線３３でトップパネル１７に折り曲げ可能に接続されている。
【００１６】
図１の実施形態において、ブランク１３は、一連の曲線状の切れ目線３９によって形成されている６つの受け部３７を含む。受け部３７はそれぞれ、最外部の２つの切れ目線３９間に位置する４つのストリップ４３によってトップパネル１７に接続されている概ね円形の内側パネル４１を含む。内側パネル４１は曲線状の折り線４０を含み、この折り線４０は、切れ目線３９から内方へ離間しているとともに内側パネルが容器Ｃの形状に適合するように内側パネルを成形するのを助ける。内側パネル４１がトップパネル１７に対して持ち上がると、内側パネル４１が切れ目線３９においてトップパネルから分離することによってトップパネルに開口部７が形成される。図１の実施形態では、トップパネル１７は、パッケージ５を把持して運搬するための指穴４７を含む。また、トップパネル１７は、受け部３７の各対間に曲線状の折り線４９を含む。
【００１７】
切れ目線３９は協働してトップパネル１７の開口部７の保持縁部４２（広義では「保持機能部」）を形成し、この保持縁部４２が容器ＣのフランジＦと係合する。図示の実施形態では、各受け部３７は、容器Ｃをカートン内に保持するように当該容器のフランジＦの一部とそれぞれ係合する、４つの概ね弧状の保持縁部を含む。保持縁部４２は、切れ目３９のそれぞれの端間で、内側パネル４１をトップパネル１７に取り付けているそれぞれのストリップ４３によって分離されている。
【００１８】
図示の実施形態では、ブランク１３は、長手方向折り線５７、５９でそれぞれの端部パネル１９、２３に折り曲げ可能に接続されている端部フラップ５３、５５を含む。ガセットパネル６１、６３が、それぞれの斜めの折り線６５、６７で端部フラップ５３、５５にそれぞれ接続されている。各ガセットパネル６１、６３は、それぞれの横方向折り線６９、７１でサイドパネル２７、３１にそれぞれ折り曲げ可能に接続されている。
【００１９】
１つの許容可能な方法に従ってパッケージ５０を形成するためには、容器ＣのフランジＦの上面を受け部３７の内側パネル４１と接触させ、内側パネルを持ち上げてトップパネル１７に開口部７を形成するように、当該容器をそれぞれの受け部に挿入する。容器ＣのフランジＦは、図３及び図４に示されるように、それぞれの受け部３７の開口部に隣接している部分（例えば縁部４２）がフランジの下面と係合して容器をパッケージ５内に保持するように位置決めされる。端部パネル１９、２３の上縁部がトップパネル１７から分離するように、端部パネルはトップパネルに対して下方へ折り曲げられ、引き裂き線２１、２５に沿って分離される。端部フラップ５３、５５は折り線５７、５９で内方へ折り曲げられ、サイドパネルが折り線２９、３３で下方へ折り曲げられてパッケージ５を形成する。
【００２０】
糊又は他の接着剤をブランク１３のパネル及び／又はフラップの１つ又は複数に塗布して、パッケージ５を折り曲げた状態に固定することができる。また、パッケージ５は、２００８年１０月１７日付けで出願された米国特許出願第１２／２５３，４８５号（当該出願の全ては、あらゆる目的でここに参照されることにより援用される）に示されているように、ハンドル又は強化機能部を含むことができる。さらに、パッケージ５は、容器Ｃをパッケージから取り外すことを容易にするディスペンサー機能部を含むことができる。本開示から逸脱することなく、ブランク１３は別様に成形及び／又は構成することができ、パッケージ５は、別様に成形及び／又は構成される機能部を有することができる。
【００２１】
図５乃至図７はそれぞれ、第１の実施形態のブランク１３及びパッケージ５と同様の機能部を有する、本開示の第２の実施形態のブランク１１３及びパッケージ１０５を示す。したがって、これらの実施形態の同様であるか又は同一である特徴には同様の参照符号が与えられている。
【００２２】
図５乃至図７の実施形態では、それぞれの受け部１３７の中心パネル１４１が、当該中心パネル１４１の長手方向の端において、それぞれのタブ１４３によってトップパネル１１７に取り付けられたままである。それぞれのタブ１４３は、受け部１３７の中心パネル１４１を形成する切れ目１３９の離間した端、及びタブをトップパネル１１７に取り付ける曲線状の折り線１４０によって画成されている。受け部１３７は、中心パネル１４１を形成する切れ目１３９から延在する斜めの切れ目１４２を含む。斜めの切れ目１４２は、開口部１０７に隣接している折り曲げ可能なフラップ１４４をトップパネル１１７に形成する。折り曲げ可能なフラップ１４４の縁部は、切れ目１３９によって画成されており、容器ＣのフランジＦの下面と係合するためのものである。本開示から逸脱することなく、ブランク１１３は別様に成形及び／又は構成することができ、パッケージ１０５は、別様に成形及び／又は構成される機能部を有することができる。
【００２３】
図８乃至図１０は、前述の実施形態のブランク及びパッケージと同様の機能部を有する、本開示の第３の実施形態のパッケージ２０５を形成するブランク２１３を示す。したがって、これらの実施形態の同様であるか又は同一である特徴には同様の参照符号が与えられている。
【００２４】
ブランク２１３は、前述の実施形態の受け部１３７と同様の受け部２３７を有するトップパネル２１７を含む。図８乃至図１０の実施形態では、中心パネル２４１は中心パネル１４１と同様に成形される。折り曲げ可能なフラップ２４４は斜めの切れ目２４２によって形成されている。図８乃至図１０の実施形態では、折り曲げ可能なフラップ２４４は、斜めの切れ目２４２と中心パネル２４１を画成している切れ目１３９との間に延在する斜めの折り線２４６によって少なくとも部分的に画成されている。図８乃至図１０の実施形態では、タブ２４３は概ね直線的な折り線２４０によって形成されている。一実施形態では、トップパネル２１７は、当該トップパネルの長さにわたって延在する長手方向折り線２２８を含む。折り線２２８は、パッケージ２０５の形成を容易にし、トップパネル２１７が容器Ｃの形状に適合することを可能にする。本開示から逸脱することなく、ブランク２１３は別様に成形及び／又は構成することができ、パッケージ２０５は、別様に成形及び／又は構成される機能部を有することができる。
【００２５】
図１１乃至図１３は、前述の実施形態のブランク及びパッケージと同様の機能部を有する、本開示の第４の実施形態のパッケージ３０５を形成するブランク３１３を示す。したがって、これらの実施形態の同様であるか又は同一である特徴には同様の参照符号が与えられている。
【００２６】
ブランク３１３は、トップパネル３１７に開口部３４１を有する受け部３３７を含む。受け部３３７は、開口部３４１のそれぞれの長手方向側部に隣接しているタブ３４３を含む。タブ３４３はトップパネルにある曲線状の折り線３４０によって画成されている。開口部３４１は、長手方向Ｌ１に概ね延在し、対応する形状で曲線状の切れ目線によってブランク３１３に形成されている曲線状の縁部３３９を有する。図１２及び図１３に示されるように、曲線状の縁部３３９は、それぞれの容器のフランジＦの下面と係合して容器をパッケージ３０５内に保持する。タブ３４３は、概ね半円形をしているとともに曲線状の縁部３３９間に位置している突出部分３４８を含む。図示の実施形態では、タブ３４３の突出部分３４８は、容器ＣのフランジＦの上面と接触しており、パッケージ３０５のトップパネル３１７から離間している。本開示から逸脱することなく、ブランク３１３は別様に成形及び／又は構成することができ、パッケージ３０５は、別様に成形及び／又は構成される機能部を有することができる。
【００２７】
図１４乃至図１６は、前述の実施形態のブランク及びパッケージと同様の機能部を有する、本開示の第５の実施形態のパッケージ４０５を形成するブランク４１３を示す。したがって、これらの実施形態の同様であるか又は同一である特徴には同様の参照符号が与えられている。
【００２８】
ブランク４１３は、トップパネル４１７に開口部４４１を有する受け部４３７を含む。開口部４４１は概ね星形であり、それぞれの縁部４３９によって形成されている。開口部４４１の縁部４３９は、開口部４４１に隣接しているそれぞれの折り曲げ可能なフラップ４４４を形成する曲線状部分を有する。折り曲げ可能なフラップ４４４は、それぞれの開口部４４１に突出しており、容器ＣのそれぞれのフランジＦの下面と係合する。開口部４４１間のタブ４４３は長手方向折り線４４０によって画成されている。図示の実施形態では、各受け部４３７は８つの折り曲げ可能なフラップ４４４を含む。本開示から逸脱することなく、ブランク４１３は別様に成形及び／又は構成することができ、パッケージ４０５は、別様に成形及び／又は構成される機能部を有することができる。
【００２９】
図１７乃至図１９は、前述の実施形態のブランク及びパッケージと同様の機能部を有する、本開示の第６の実施形態のパッケージ５０５を形成するブランク５１３を示す。したがって、これらの実施形態の同様であるか又は同一である特徴には同様の参照符号が与えられている。
【００３０】
ブランク５１３は、前述の実施形態の受け部４３７と同様の受け部５３７を含む。開口部５４１は、前述の実施形態の縁部４３９と形状が同様である縁部５３９を有する。折り曲げ可能なフラップ５４４が開口部５４１に隣接している縁部５３９の部分によって形成されている。折り曲げ可能なフラップ５４４は、それぞれの開口部５４１に突出しており、容器ＣのそれぞれのフランジＦの下面と係合する。図１７乃至図１９の実施形態では、ブランク５１３は、横方向切れ目５４２によって形成され、開口部５４１に隣接している保持フラップ５５６を有する。保持フラップ５５６は、フランジＦの下面の下の離間した位置で容器のネックＮと係合するために、開口部５４１へは突出しない。保持フラップ５５６は、パッケージ５０５を容器Ｃに固定する、付加的な取り付け力を提供する。図１７乃至図１９の実施形態では、パッケージは、フランジＦの下面と係合する、各開口部５４１に隣接している６つの折り曲げ可能なフラップ５４４と、それぞれの容器ＣのネックＮと係合する、各開口部に隣接している４つの保持フラップ５５６とを有する。本開示から逸脱することなく、ブランク５１３は別様に成形及び／又は構成することができ、パッケージ５０５は、別様に成形及び／又は構成される機能部を有することができる。
【００３１】
図２０乃至図２２は、前述の実施形態のブランク及びパッケージと同様の機能部を有する、本開示の第７の実施形態のパッケージ６０５を形成するブランク６１３を示す。パッケージ６０５は、それぞれの端に、ブランク３１３のハンドル機能部から形成されたハンドル６０７、６０９を有する。したがって、これらの実施形態の同様であるか又は同一である特徴には同様の参照符号が与えられている。
【００３２】
図２０は、パッケージ又はキャリア６０５（図２１及び図２２）を形成するのに用いられるブランク６１３の外部の平面図である。ブランク６１３は長手方向軸Ｌ３及び横方向軸Ｌ４を有する。ブランク６１３は、第１の端部パネル６１９及び第２の端部パネル６２３に折り曲げ可能に接続されているトップパネル６１７を含む。第１のサイドパネル６２７が、第１の長手方向折り線６２９でトップパネル６１７に折り曲げ可能に接続されている。第２のサイドパネル６３１が、第２の長手方向折り線６３３でトップパネル６１７に折り曲げ可能に接続されている。
【００３３】
図２０の実施形態において、ブランク６１３は、長手方向の２つの列で配置されるとともに一連の曲線状の切れ目線６３９によって形成されている６つの受け部６３７を含む。トップパネル６１７は、２列の受け部６３７間に延在する長手方向折り線６１８によって分けられている。受け部６３７はそれぞれ、概ね円形の中心パネル６４１を含む。中心パネル６４１は、それぞれのタブ６４３、６４９によってトップパネル６１７に接続されている。タブ６４３は、受け部６３７のそれぞれの対間に延在するそれぞれの内側長手方向折り線６４０によって画成されている。端部パネル６１９及びそれぞれの端部の受け部６３７に隣接しているタブ６４９は、それぞれの横方向折り線６２２、６４７、及び当該横方向折り線間に延在するそれぞれの内側長手方向折り線６４０によって画成されている。端部パネル６２３及びそれぞれの端部の受け部６３７に隣接しているタブ６４９は、それぞれの横方向折り線６２６、６４７、及び当該横方向折り線間に延在するそれぞれの内側長手方向折り線６４０によって画成されている。
【００３４】
図２０乃至図２２の実施形態において、受け部６３７は第３の実施形態の受け部２３７と同様である。受け部は、中心パネル６４１を形成する曲線状の切れ目線６３９から延在する斜めの切れ目６４２を有する。斜めの折り線６４６が、中心パネル６４１を画成する斜めの切れ目６４２及び切れ目６３９間に延在する。斜めの切れ目６４２及び斜めの折り線６４６は、曲線状の切れ目線６３９に隣接している折り曲げ可能なフラップ６４４をトップパネル６１７に形成する。内側パネル６４１がそれぞれの受け部６３７に容器Ｃを挿入することによってトップパネル６１７に対して持ち上がると、それぞれの開口部６０７がトップパネル６１７に形成される。図２１に示されるように、折り曲げ可能なフラップ６４４は、容器Ｃが受け部６３７に挿入されると容器ＣのフランジＦの下面と係合するように構成されている。トップパネル６１７は、フラップ６４４の折り曲げを容易にするように曲線状の切れ目線６３９及び長手方向折り線６４０間のつながっている地点に斜めのニック又はクリーズ６４５も含むことができる。
【００３５】
一実施形態では、端部パネル６１９は、第１の隅部６１９ａと、第２の隅部６１９ｂと、第１の隅部と第２の隅部との間に延在する中間部分６１９ｃ乃至６１９ｇとを含む。端点がつながっている一対の曲線状の横方向最内折り線６２０が、ブランク６１３の横方向中心線で折り線６１８と概ね横方向に位置合わせされている中間部分６１９ｅを形成している。一対の曲線状の横方向中間折り線６２１がそれぞれの曲線状の内側折り線６２０から横方向外方へ離間しており、曲線状の折り線６２０の対向する側部にそれぞれの中間部分６１９ｄ、６１９ｆを形成している。一対の曲線状の折り線６５９がそれぞれの中間折り線６２１から横方向外方へ離間しており、それぞれの中間部分６１９ｃ、６１９ｇを形成するようにそれぞれの中間折り線６２１と協働する。図示の実施形態では、中間部分６１９ｄ、６１９ｅ、６１９ｆは開口部６７０によってトップパネル６１７から分離している。開口部６７０は、概ね楕円形でありトップパネル６１７に当接するように位置決めされるものとして示されているが、開口部は、本開示から逸脱することなく別様に成形、位置決め、配置、構成することができるか、又は省くことができる。
【００３６】
端部パネル６２３は端部パネル６１９と同様であり、隅部６２３ａと、６２３ｂと、中間部分６２３ｃ乃至６２３ｇとを有するとともに、隅部及び中間部分を形成する折り線６２０、６２１、６５９を有する。さらに、端部パネル６２３は開口部６７０を有する。端部パネル６２３は、本開示から逸脱することなく別様に成形、配置及び／又は構成することができる。
【００３７】
図示の実施形態では、ブランク６１３は、斜めの折り線６５５、６６５でそれぞれのサイドパネル６２７、６３１に、また斜めの折り線６５９、６６９でそれぞれの端部パネル６１９、６２３に折り曲げ可能に接続されているガセット６５３、６６３を含む。各ガセット６５３は、斜めの折り線６５６及び一対の長手方向折り線６５７を含む。第１のガセットパネル６５３ａが斜めの折り線６５５と斜めの折り線６５６との間に画成されている。第２のガセットパネル６５３ｂが斜めの折り線６５６と長手方向折り線６５７のうちの第１の折り線との間に画成されている。第３のガセットパネル６５３ｃが長手方向折り線６５７間に画成されている。各ガセット６５３は、ガセットパネル６５３ａ、６５３ｂ、６５３ｃと端部パネル６１９の隅部６１９ａ、６１９ｂとの境界を定める開口部６７２によってトップパネル６１７から分離されている。開口部６７２は、本開示から逸脱することなく別様に成形、配置及び／若しくは構成することができるか、又は省くことができる。
【００３８】
ガセット６６３はガセット６５３と同様である。具体的には、各ガセット６６３は、斜めの折り線６６６と、一対の長手方向折り線６６７と、ガセットパネル６６３ａ、６６３ｂ、６６３ｃとを含む。各ガセット６６３は、ガセットパネル６６３ａ、６６３ｂ、６６３ｃと端部パネル６２３の隅部６２３ａ、６２３ｂとの境界を定める開口部６７２によってトップパネル６１７から分離されている。ガセット６５３、６６３の１つ又は複数は、本開示から逸脱することなく別様に成形、配置、構成、又は省くことができる。
【００３９】
１つの許容可能な例示的な方法に従って図２１及び図２２に示されるパッケージ６０５を形成するには、容器Ｃをそれぞれ、それぞれの受け部６３７に挿入する。その結果、容器ＣのフランジＦの上面が受け部６３７の内側パネル６４１と接触して中心パネル６４１を持ち上げ、それによってトップパネル６１７に開口部６０７を形成する。容器ＣのフランジＦは、開口部６０７に隣接しているそれぞれの受け部６３７のフラップ６４４がフランジＦの下面と係合して容器をパッケージ６０５内に保持するよう、図２１及び図２２に示されるように位置決めされる。受け部６３７の列間のトップパネル６１７の中心領域が、Ｖ字形の溝を形成するように下方へ折り曲げられ、サイドパネル６２７、６３１に隣接しているトップパネル６１７の外側領域が受け部６３７から下方へ傾斜するように折り曲げられる。端部パネル６１９、６２３は、それぞれの折り線６２２、６２６に沿ってトップパネル６１７に対して下方へ折り曲げられる。サイドパネル６２７、６３１は、それぞれの折り線６２９、６３３で下方へ折り曲げられる。ガセットパネル６５３ａは、ガセットパネル６５３ｂ、６５３ｃに重なるように斜めの折り線６５６で折り曲げられ、ガセット６５３をそれぞれのサイドパネル６２７、６３１に接続する斜めの折り線６５５は端部パネル６１９の隅部６１９ａ、６１９ｂに隣接して位置決めされる。同様に、ガセットパネル６６３ａは、ガセットパネル６６３ｂ、６６３ｃに重なるように斜めの折り線６６６で折り曲げられ、ガセット６６３をそれぞれのサイドパネル６２７、６３１に接続する斜めの折り線６６５は端部パネル６２３の隅部６２３ａ、６２３ｂに隣接して位置決めされる。このようにパッケージ６０５が形成される。
【００４０】
パッケージ６０５において、端部パネル６１９、６２３は容器Ｃの輪郭に沿う。具体的には、端部パネルの部分６１９ｃ、６１９ｇ及び隅部６１９ａ、６１９ｂは、容器Ｃの形状に概ね適合する概ね凸状の端部６６０を形成する。端部パネルの部分６１９ｄ、６１９ｅ及び６１９ｆは、凸状の端面６６０間にある概ね凹状の中間部分６６２を形成するように内方へ折り曲げることができる。凹状の中間部分６６２は、２つの端部の容器Ｃ間に位置決めされ、容器の形状に適合するような形状である。同様に、端部パネルの部分６２３ｃ、６２３ｇ及び隅部６２３ａ、６２３ｂは、概ね凸状の端部６６０を形成し、端部パネルの部分６２３ｂ、６２３ｅ及び６２３ｆは、概ね凹状の中間端部６６２を形成するように内方へ折り曲げることができる。糊又は他の接着剤をブランク６１３のパネル及び／又はフラップの１つ又は複数に塗布して、パッケージ６０５を折り曲げた状態に固定することができる。例えば、ガセットセクション６５３ａはガセットセクション６５３ｂ、６５３ｃに接着固定することができ、ガセットセクション６６３ａはガセットセクション６６３ｂ、６６３ｃに接着固定することができる。
【００４１】
図２１及び図２２に示されるように、端部パネル６１９、６２３はそれぞれ、パッケージを運搬するために構成することができるそれぞれのハンドル６０７、６０９を形成するハンドル機能部を含む。具体的には、図２２に示されるように、ハンドル６０７を機能させるには、端部パネル６１９の端部パネルの部分６１９ｄ、６１９ｅ、６１９ｆによって形成される中間部分６６２を、パッケージ６０５を運搬するために把持して外方へ折り曲げることができる。同様に、ハンドル６０９は、端部パネル６２３の端部パネルの部分６２３ｄ、６２３ｅ、６２３ｆによって形成される中間部分６２０を把持して外方へ折り曲げることによって機能することができる。パッケージ６０５が端部パネル６１９のハンドル６０７又は端部パネル６２３のハンドル６０９によって運搬される場合、端部パネルの部分６１９ｃ、６１９ｇ又は６２３ｃ、６２３ｇ及び隅部６１９ａ、６１９ｂ又は６２３ａ、６２３ｂが端部パネルの部分６１９ｄ、６１９ｅ、６１９ｆ又は６２３ｄ、６２３ｅ、６２３ｆとともに外方へ撓んでパッケージ６０５の運搬を容易にする。
【００４２】
本開示から逸脱することなく、ブランク６１３は別様に成形及び／又は構成することができ、パッケージ６０５は、別様に成形及び／又は構成される機能部を有することができることを理解されたい。
【００４３】
図２３乃至図２６は、前述の実施形態のブランク及びパッケージと同様の機能部を有する、本開示の第８の実施形態のパッケージ７０５を形成するブランク７１３を示す。したがって、これらの実施形態の同様であるか又は同一である特徴には同様の参照符号が与えられている。
【００４４】
図２３は、第８の実施形態のパッケージ又はキャリア７０５（図２４乃至図２６）を形成するのに用いられるブランク７１３の外部の平面図である。ブランク７１３は長手方向軸Ｌ５及び横方向軸Ｌ６を有する。ブランク７１３は、第１の横方向引き裂き線７２２で第１の端部パネル７１９に折り曲げ可能に接続されているトップパネル７１７を含む。トップパネル７１７は、第２の横方向引き裂き線７２５で第２の端部パネル７２３に折り曲げ可能に接続されている。第１のサイドパネル７２７が、第１の長手方向折り線７２９でトップパネル７１７に折り曲げ可能に接続されている。第２のサイドパネル７３１が、第２の長手方向折り線７３３でトップパネル７１７に折り曲げ可能に接続されている。代替的な実施形態では、引き裂き線７２２、７２５は本開示から逸脱することなく切れ目線とすることができる。
【００４５】
図２３乃至図２６の実施形態では、ブランク７１３は、長手方向の２つの列で配置されているとともに一連の曲線状の切れ目線７３９によって形成されている６つの受け部７３７を含む。トップパネル７１７は、２列の受け部７３７間に延在する一対の長手方向折り線７１８によって分割されている。受け部７３７はそれぞれ、概ね円形の中心パネル７４１を含む。中心パネル７４１は、それぞれのタブ７４３によってトップパネル７１７に接続されている。長手方向内側タブ７４３は、受け部７３７のそれぞれの対の間に延在するそれぞれの内側長手方向折り線７４０によって画成されている。長手方向外側タブ７４３は、それぞれの外側受け部７３７に隣接して形成されており、外側受け部７３７を形成するそれぞれの曲線状の切れ目線７３９の端から延在するそれぞれの外側長手方向折り線７４０によって画成されている。受け部７３７は、中心パネル７４１を形成する曲線状の切れ目線７３９から延在する斜めの切れ目７４２を含む。斜めの切れ目７４２は、トップパネル７１７に、曲線状の切れ目線７３９に隣接している折り曲げ可能なフラップ７４４を形成する。それぞれの受け部７３７に容器Ｃを挿入することによって内側パネル７４１がトップパネル７１７に対して持ち上がると、トップパネル７１７にそれぞれの開口部７０７が形成される。折り曲げ可能なフラップ７４４は、容器Ｃが受け部７３７に挿入されると容器ＣのフランジＦの下面と係合するように構成されている。
【００４６】
端部パネル７１９は、当該端部パネル７１９の横方向端部に概ね位置する２つの群の横方向に離間した長手方向折り線７２０を含む。同様に、端部パネル７２３は、当該端部パネル７２３の横方向端部に概ね位置する２つの群の横方向に離間した長手方向折り線７２４を含む。図示の実施形態では、各群の長手方向折り線７２０、７２４は６つの折り線を含むが、各群の折り線は、本開示から逸脱することなく６つの折り線よりも多いか又は少ない折り線とすることができる。
【００４７】
ブランク７１３は、長手方向折り線７５７で端部パネル７１９のそれぞれの長手方向縁部に折り曲げ可能に接続されている第１のガセットパネル７５４と、斜めの折り線７６５で第１のガセットパネル７５４に折り曲げ可能に接続されている第２のガセットパネル７６１とをそれぞれ含むガセット７５３を含む。各ガセットパネル７６１は、横方向折り線７６９でそれぞれのサイドパネル７２７、７３１に折り曲げ可能に接続されている。ブランクはガセット７５５を含み、当該ガセット７５５はガセット７５３と同様であり、長手方向折り線７５９で端部パネル７２３のそれぞれの長手方向縁部に折り曲げ可能に接続されている第１のガセットパネル７５６と、斜めの折り線７６７でそれぞれの第１のガセットパネル７５６に折り曲げ可能に接続されている第２のガセットパネル７６３とを含む。各第２のガセットパネル７６３は、長手方向折り線７７１でそれぞれのサイドパネル７２７、７３１に折り曲げ可能に接続されている。
【００４８】
一実施形態では、サイドパネル７２７は、横方向折り線７６９、７７１のそれぞれから横方向内方へ延在する長手方向折り線７２８を含む。同様に、サイドパネル７３１は、横方向折り線７６９、７７１のそれぞれから横方向内方へ延在する長手方向折り線７３２を含む。
【００４９】
１つの許容可能な方法に従って図２４乃至図２６に示されるパッケージ７０５を形成するには、容器Ｃをそれぞれ、それぞれの受け部７３７に挿入する。その結果、容器ＣのフランジＦの上面が受け部７３７の内側パネル７４１と接触して中心パネル７４１を持ち上げ、それによってトップパネル７１７に開口部７０７を形成する。容器ＣのフランジＦは、開口部７０７に隣接しているそれぞれの受け部７３７のフラップ７４４がフランジＦの下面と係合して容器をパッケージ７０５内に保持するよう、図２４乃至図２６に示されるように位置決めされる。受け部７３７の列間のトップパネル７１７の中心領域が、Ｖ字形の溝を形成するように下方へ折り曲げられ、サイドパネル７２７、７３１に隣接しているトップパネル７１７の外側領域が受け部７３７から下方へ傾斜するように折り曲げられる。端部パネル７１９、７２３は、それぞれの引き裂き線７２１、７２５に沿ってトップパネル７１７に対して下方へ折り曲げられ、端部パネル７１９、７２３の上縁がトップパネル７１７から分離するように引き裂き線７２１、７２５に沿って分離している。サイドパネル７２７、７３１は、折り線７２９、７３３で下方へ折り曲げられる。ガセット７５３は、第２のガセットパネル７６１が第１のガセットパネル７５４に重なるように斜めの折り線７６５で折り曲げられ、ガセットパネル７６１をそれぞれのサイドパネル７２７、７３１に接続している横方向折り線７６９が端部パネル７１９に隣接して位置決めされる。同様に、ガセット７５５は、第２のガセットパネル７６３が第１のガセットパネル７５６に重なるように斜めの折り線７６７で折り曲げられ、ガセットパネル７６３をそれぞれのサイドパネル７２７、７３１に接続している横方向折り線７７１が端部パネル７２３に隣接して位置決めされる。このようにパッケージ７０５が形成される。
【００５０】
図２３乃至図２６の実施形態のパッケージ７０５において、端部パネル７１９、７２３は、当該端部パネル７１９、７２３の隅部又は端部が容器Ｃの輪郭に沿うように折り線７２０、７２４において撓む。サイドパネル７２７、７３１の長手方向折り線７２８、７３２は、サイドパネル７２７、７３１の端部が撓んで容器Ｃの輪郭に沿うことを可能にする。糊又は他の接着剤をブランク７１３のパネル及び／又はフラップの１つ又は複数に塗布して、パッケージ７０５を折り曲げた状態に固定することができる。例えば、第２のガセットパネル７６１は第１のガセットパネル７５４に接着固定することができ、第２のガセットパネル７６３は第１のガセットパネル７５６に接着固定することができる。
【００５１】
図２６に示されるように、端部パネル７１９、７２３はパッケージを運搬するためのハンドル７０７、７０９として機能を果たすように構成されている。パッケージ７０５を形成するときに、端部パネル７１９、７２３は分離されてトップパネル７１９から離間される。引き裂き線又は切れ目線７２２、７２５及びガセット７５３、７５５は、端部パネルによって形成されるハンドル７０７、７０９とトップパネルとの間にスペース又は開口部（例えば開口部７２４）があるように端部パネル７１９、７２３を位置決めすることを可能にする。ハンドル７０７、７０９は、端部パネル７１９、７２３を把持すること及びパッケージを運搬することによって機能する。パッケージ７０５が運搬されるときにそれぞれのハンドル７０７、７０９を把持する場合、端部パネル７１９、７２３は外方へ撓むことができる。
【００５２】
本開示から逸脱することなく、ブランク７１３は別様に成形及び／又は構成することができ、パッケージ７０５は、別様に成形及び／又は構成される機能部を有することができることを理解されたい。
【００５３】
本開示によるブランクは、例えば、塗装された厚紙や、これと同様の材料から形成することができる。例えば、ブランクの内部及び／又は外部は粘土性（クレー）コートでコーティングされることができる。続いて、粘土性（クレー）コーティングには、生産物、宣伝、価格コード、及び他の情報又はイメージを印刷することができる。そして、ブランク上に印刷された様々な情報を保護するために、ブランクをワニスでコーティングすることができる。ブランクの片面又は両面を、例えば防湿層でコーティングすることもできる。上述の実施形態に従って、ブランクは、通常の紙よりも厚く、そして硬質であるような厚紙で構成することができる。ブランクは、ボール紙、硬質紙、もしくは少なくとも概ね本明細書で記載のような機能を可能にするカートンに適した特性を有する素材のような、他の材料で構成することもできる。ブランクは、また、選択されたパネル又はパネルセクションにおいて、１つ又は複数のシート状材料で積層又はコーティングすることもできる。
【００５４】
上述の実施形態によれば、折り線は、必ずしも直線状であることなく、それに沿った折り曲げを容易にする弱化した形状であっても、折り線は実質的に線状とすることができる。本開示の内容を狭めるためではないが、より具体的には、折り線は、所望の弱化線に沿って、素材に圧潰部分を作る鈍いスコアリングナイフ等で形成された線等のスコア線、所望の弱化線に沿って素材に部分的に延在する切れ目、及び／又は所望の弱化線に沿って素材に部分的に及び／又は完全に延在する一連の切れ目、並びにこれらの機能の多様な組み合わせを含む。
【００５５】
一例として、引き裂き線は、所望の弱化線に沿って素材に部分的に延在するスリット、及び／又は所望の弱化線に沿って素材に部分的に及び／又は完全に延在する一連の離間したスリット、又はこれらの機能の多様な組み合わせを含むことができる。より具体的な例としては、１つのタイプの引き裂き線は、引き裂き線を挟んで素材を通常は一時的に接続するためにニック（例えば、材料の小さな幾らかブリッジで結んでいるような部分）が間に画成されるように、隣接しているスリットをわずかに離間させた、素材に完全に延在する一連の離間したスリットの形態である。ニックは、引き裂き時に引き裂き線に沿って破断される。ニックは典型的に、引き裂き線において比較的わずかな割合を占めるものであり、代替的に、引き裂き線が連続した切れ目線であるように、ニックが引き裂き線から省かれることができるか、又は引き裂き線上で引き裂かれることができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広にすることができる。
【００５６】
上記実施形態は、カートンの実施形態を組み立てる間に糊によって互いに接着される１つ又は複数のパネルを有するものとして説明されることができる。「糊」という用語は、カートンパネルを所定位置に固定するのに一般的に用いられるすべての態様の接着剤を包含することが意図される。
【００５７】
上記説明は、多様な例示的な実施形態を例示及び説明するものである。本開示の精神及び範囲から逸脱することなく、多様な追加、変更、変形等がこれらの例示的な実施形態に対してなされることができる。上記説明に含まれているか又は添付図面に示されているすべての事項は、例示目的であって限定的な意味ではないと解釈すべきであることが意図される。さらに、本開示は、本開示の選択された実施形態のみを示し、説明しているが、本開示は、多様な他の組み合わせ、変更、及び状況で用いることが可能であり、本明細書で述べられているような発明概念の範囲内で変形又は変更を行うことが可能であり、上記教示に相応し、かつ／又は関連技術分野の技術若しくは知識内にある。さらに、各実施形態の特定の機能及び特徴を、選択的に置き換えて、本開示の他の説明された実施形態及び説明されていない実施形態に適用することができる。
【図１】
0005683583.tif 000002
【図２】
0005683583.tif 000003
【図３】
0005683583.tif 000004
【図４】
0005683583.tif 000005
【図５】
0005683583.tif 000006
【図６】
0005683583.tif 000007
【図７】
0005683583.tif 000008
【図８】
0005683583.tif 000009
【図９】
0005683583.tif 000010
【図１０】
0005683583.tif 000011
【図１１】
0005683583.tif 000012
【図１２】
0005683583.tif 000013
【図１３】
0005683583.tif 000014
【図１４】
0005683583.tif 000015
【図１５】
0005683583.tif 000016
【図１６】
0005683583.tif 000017
【図１７】
0005683583.tif 000018
【図１８】
0005683583.tif 000019
【図１９】
0005683583.tif 000020
【図２０】
0005683583.tif 000021
【図２１】
0005683583.tif 000022
【図２２】
0005683583.tif 000023
【図２３】
0005683583.tif 000024
【図２４】
0005683583.tif 000025
【図２５】
0005683583.tif 000026
【図２６】
0005683583.tif 000027